(57)【要約】【課題】洗面所やトイレ等にて使用される手乾燥装置において，使用者が手を手挿入部に何度も挿抜したり，温風送出ノズルの付近で手もみをしたりするといった煩わしさが軽減できる手乾燥装置を低コストで提供することを目的とする。【解決手段】本体内部に設けた送風装置１及び発熱体２からなる温風発生手段３と，この温風発生手段３からの温風を送出する送出ノズル４を有し，前記送出ノズル下部に手挿入部５を有し、さらに前記手挿入部５の奥側から下部に至る水受け部６を有し，前記送出ノズル４にルーバー構造部７を設け，前記ルーバー構造部７を駆動し、前記送出ノズル４からの温風の向きを前記手挿入部５の入口側と奥側の間を移動させることにより，使用者が手を手挿入部５に何度も挿抜したり，温風送出ノズル４の付近で手もみをしたりするといった煩わしさが軽減できる手乾燥装置８を得られる。【選択図】図１
2006247020.tif 000002
【特許請求の範囲】
【請求項１】
本体内部に設けた送風装置及び発熱体からなる温風発生手段と、前記温風発生手段からの温風を送出する送出ノズルと、前記送出ノズル下部に手挿入部と、前記手挿入部の奥側から下部に至る水受け部を有し、前記送出ノズルにルーバーを設け風向を変更可能とした手乾燥装置。
【請求項２】
本体内部に設けた送風装置及び発熱体からなる温風発生手段と、前記温風発生手段からの温風を送出する送出ノズルと、前記送出ノズル下部に手挿入部と、前記手挿入部の奥側から下部に至る水受け部を有し、前記送出ノズルにルーバーを設け、前記ルーバーをモーターにて駆動させる請求項１記載の手乾燥装置。
【請求項３】
ルーバーが挿入部入口側に駆動する場合の風による手及び水受け部から使用者に跳ね返る水滴を防止することが可能な請求項１、２記載の手乾燥装置。
【請求項４】
ルーバーを手挿入部奥側に駆動する場合は低速で駆動し、前記手挿入部入口側に駆動する場合は高速で駆動することが可能な請求項３記載の手乾燥装置。
【請求項５】
ルーバーを手挿入部奥側に駆動する場合は風量を大きく、前記手挿入部入口側に駆動する場合は送風を停止もしくは風量を少なくすることが可能な請求項３、４記載の手乾燥装置。
【請求項６】
ルーバーを手挿入部奥側に駆動する場合に奥側に移動するにつれて風量を大きくすることができる請求項１、２、３、４または５記載の手乾燥装置。
【請求項７】
風量の変更は、送風装置のモーター回転数制御により行なう請求項５または６記載の手乾燥装置。
【請求項８】
風量の変更は、送出ノズルの開口面積の変更により行なう請求項５または６記載の手乾燥装置。
【請求項９】
ルーバーの取り付けは、水受け部に水平となるように設置した請求項１記載の手乾燥装置。
【請求項１０】
ルーバーは少なくとも２個以上設置した請求項１記載の手乾燥装置。
【請求項１１】
ルーバーは水受け部の中心軸に対し、対称となる位置に設置した請求項１０記載の手乾燥装置。
【請求項１２】
ルーバーは手の挿入角度に応じて角度を自動的に変更することができる請求項１記載の手乾燥装置。
【発明の詳細な説明】
【技術分野】
【０００１】
本発明は、洗面所やトイレ等にて手を洗い、濡れた手を温風にて乾燥させる手乾燥装置に関する。
【背景技術】
【０００２】
従来、この種の手乾燥装置では、使用者が手を何度も手挿入部に挿抜したり、送出ノズル近辺で手もみをしたりする煩わしさを解決するために、手に当たる温風の向きを変える方法として、送出ノズルを移動する方法が知られていた（例えば特許文献１参照）。
【０００３】
以下、その手乾燥装置について図１０を参照しながら説明する。図１０（ａ）は手乾燥装置の構成を示す概略図であり、図１０（ｂ）は送出ノズルのノズル手前側を示す拡大図であり、図１０（ｃ）は送出ノズルのノズル奥側を示す拡大図である。図に示すように、手乾燥装置１０１は本体内部に設けた送風装置１０２及び発熱体１０３からなる温風発生手段１０４と、前記温風発生手段１０４からの温風を送出する送出ノズル１０５と、前記送出ノズル１０５の下部に手挿入部１０６と、前記手挿入部１０６の奥側から下部に至る水受け部１０７を有し、前記送出ノズル１０５を送出ノズル駆動部１０８により前記手挿入部の入口側と奥側の間を移動させ、使用者が手を何度も手挿入部に挿抜したり、送出ノズル近辺で手もみをしたりする煩わしさを軽減できるものである。
【特許文献１】特開２００３−２３５７５６号公報（段落番号００２７、図１）
【発明の開示】
【発明が解決しようとする課題】
【０００４】
このような従来の手乾燥装置の方法では、送出ノズルを可動し、手に当たる温風の位置を変えるための構造が大きくなり、複雑でコストがかかるという課題があった。
【０００５】
本発明は、上記従来の課題を解決するもので、送出ノズルにルーバーを設け風向を変更可能とする構成としたものであり、低コストで実現可能なルーバーを動かすことにより風向を変化させ、使用者が手を何度も手挿入部に挿抜したり、送出ノズル近辺で手もみをしたりする煩わしさを軽減できるものである。
【課題を解決するための手段】
【０００６】
本発明の手乾燥装置は、上記目的を達成するために、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記送出ノズルにルーバーを設け風向を変更可能とする構成としたものである。
【０００７】
この手段により、使用者が手を何度も手挿入部に挿抜したり、送出ノズル近辺で手もみをしたりする煩わしさを軽減できる手乾燥装置が得られる。
【０００８】
また、本体内部に設けた送風装置及び発熱体からなる温風発生手段と、この温風発生手段からの温風を送出する送出ノズルと、前記送出ノズル下部に手挿入部と、前記手挿入部の奥側から下部に至る水受け部を有し、前記送出ノズルにルーバーを設け、前記ルーバーをモーターにて駆動させる構成としたものである。
【０００９】
この手段により、ルーバーの駆動すなわち風向の変更を容易に実現することができる手乾燥装置が得られる。
【００１０】
また、ルーバーが挿入部入口側に駆動する場合の風による手及び水受け部から使用者に跳ね返る水滴を防止することが可能なものである。
【００１１】
この手段により、手を乾燥させる時の水の跳ね返りによる使用者の不快感を低減できる手乾燥装置が得られる。
【００１２】
また、ルーバーを手挿入部奥側に駆動する場合は低速で駆動し、前記手挿入部入口側に駆動する場合は高速で駆動することを可能とする構成としたものである。
【００１３】
この手段により、手を乾燥させる時に手及び水受け部からの水の跳ね返りを低減させると共に、乾燥時間を短くすることができる手乾燥装置が得られる。
【００１４】
また、ルーバーを手挿入部奥側に駆動する場合は風量を大きく、前記手挿入部入口側に駆動する場合は送風を停止もしくは風量を少なくすることを可能とする構成としたものである。
【００１５】
この手段により、手を乾燥させる時に手及び水受け部からの水の跳ね返りを低減させると共に、より乾燥時間を短くすることができる手乾燥装置が得られる。
【００１６】
さらに、ルーバーを手挿入部奥側に駆動する場合に奥側に移動するにつれて風量を大きくすることができる構成としたものである。
【００１７】
この手段により、より効果的に水を飛ばすことができ、手の乾燥時間を短くすることができる手乾燥装置が得られる。
【００１８】
また、風量の変更は、送風装置のモーター回転数制御により行なう構成としたものである。
【００１９】
この手段により、開口部の絞り機構を必要とせず、容易に風量の変更を行なうことができる手乾燥装置が得られる。
【００２０】
さらに、風量の変更は、送出ノズルの開口面積の変更により行なう構成としたものである。
【００２１】
この手段により、複雑なモーターの回転数制御を必要とせず、容易に風量の変更を行なうことができる手乾燥装置が得られる。
【００２２】
また、ルーバーの取り付けは、水受け部に水平となるように設置する構成としたものである。
【００２３】
この手段により、ルーバーは手に対して垂直方向に設置され、水の滴下方向に走査することとなるため、水を効果的に吹き飛ばすことができる手乾燥装置が得られる。
【００２４】
さらに、ルーバーは少なくとも２個以上設置する構成としたものである。
【００２５】
この手段により、手の大小を問わず効果的に水を吹き飛ばすことができる手乾燥装置が得られる。
【００２６】
また、ルーバーは水受け部の中心軸に対し、対称となる位置に設置する構成としたものである。
【００２７】
この手段により、手の大小を問わず効果的に乾燥でき、さらに水受け部の中心軸方向に水を吹き飛ばすため、水の跳ね返りを少なくすることができる手乾燥装置が得られる。
【００２８】
さらに、ルーバーは手の挿入角度に応じて角度を自動的に変更する構成としたものである。
【００２９】
この手段により、手の挿入角度に応じて最適な風向制御を行ない手の乾燥効率を向上することができる手乾燥装置が得られる。
【発明の効果】
【００３０】
本発明によれば、本体内部に設けた送風装置及び発熱体からなる温風発生手段と、この温風発生手段からの温風を送出する送出ノズルと、前記送出ノズル下部に手挿入部を有し、さらに前記手挿入部の奥側から下部に至る水受け部を有し、前記送出ノズルにルーバーを設け風向を変更可能とする構成とすることで、使用者が手を何度も手挿入部に挿抜したり、送出ノズル近辺で手もみをしたりする煩わしさを軽減できる手乾燥装置を提供できる。
【００３１】
また、本体内部に設けた送風装置及び発熱体からなる温風発生手段と、この温風発生手段からの温風を送出する送出ノズルと、前記送出ノズル下部に水受け部を有し、前記送出ノズルにルーバーを設け、前記ルーバーをモーターにて駆動させる構成とすることで、ルーバーの駆動すなわち風向の変更を容易に実現することができる手乾燥装置を提供できる。
【００３２】
また、ルーバーが挿入部入口側に駆動する場合の風による手及び水受け部から体に跳ね返る水滴を防止することが可能なものであり、手を乾燥させる時の水の跳ね返りによる使用者の不快感を低減できる手乾燥装置を提供できる。
【００３３】
また、ルーバーを手挿入部奥側に駆動する場合はゆっくり、前記手挿入部入口側に駆動する場合は早く動かすことを可能とする構成とすることで、手を乾燥させる時に手及び水受け部からの水の跳ね返りを低減させると共に、乾燥時間を短くすることができる手乾燥装置を提供できる。
【００３４】
また、ルーバーを手挿入部奥側に駆動する場合は風量を大きく、前記手挿入部入口側に駆動する場合は送風を停止もしくは風量を少なくすることを可能とする構成とすることで、手を乾燥させる時に手及び水受け部からの水の跳ね返りを低減させると共に、より乾燥時間を短くすることができる手乾燥装置を提供できる。
【００３５】
また、ルーバーを手挿入部奥側に駆動する場合に奥側に移動するにつれて風量を大きくすることができる構成とすることで、より効果的に水を飛ばすことができ、手の乾燥時間を短くすることができる手乾燥装置を提供できる。
【００３６】
また、風量の変更は、送風装置のモーター回転数制御により行なう構成とすることで、開口部の絞り機構を必要とせず、容易に風量の変更を行なうことができる手乾燥装置を提供できる。
【００３７】
さらに、風量の変更は、送出ノズルの開口面積の変更により行なう構成とすることで、複雑なモーターの回転数制御を必要とせず、容易に風量の変更を行なうことができる手乾燥装置を提供できる。
【００３８】
また、ルーバーの取り付けは、水受け部に水平となるように設置する構成とすることで、ルーバーは手に対して垂直方向に設置され、水の滴下方向に走査することとなるため、水を効果的に吹き飛ばすことができる手乾燥装置を提供できる。
【００３９】
さらに、ルーバーは少なくとも２個以上設置する構成とすることで、手の大小を問わず効果的に水を吹き飛ばすことができる手乾燥装置を提供できる。
【００４０】
また、ルーバーは水受け部の中心軸に対し、対称となる位置に設置する構成とすることで、手の大小を問わず効果的に乾燥し、さらに水受け部の中心軸方向に水を吹き飛ばすため、水の跳ね返りを少なくすることができる手乾燥装置を提供できる。
【００４１】
さらに、ルーバーは手の挿入角度に応じて角度を自動的に変更する構成とすることで、手の挿入角度に応じて最適な風向制御を行ない手の乾燥効率を向上することができる手乾燥装置を提供できる。
【発明を実施するための最良の形態】
【００４２】
本発明の請求項１記載の発明は、本体内部に設けた送風装置及び発熱体からなる温風発生手段と、この温風発生手段からの温風を送出する送出ノズルと、前記送出ノズル下部に手挿入部を有し、さらに前記手挿入部の奥側から下部に至る水受け部を有し、前記送出ノズルにルーバーを設け風向を変更可能とする構成としたものであり、使用者が手を何度も手挿入部に挿抜したり、送出ノズル近辺で手もみをしたりする煩わしさを軽減できるという作用を有する。
【００４３】
また、本体内部に設けた送風装置及び発熱体からなる温風発生手段と、この温風発生手段からの温風を送出する送出ノズルと、前記送出ノズル下部に水受け部を有し、前記送出ノズルにルーバーを設け、前記ルーバーをモーターにて駆動させる構成としたものであり、ルーバーの駆動すなわち風向の変更を容易に実現することができるという作用を有する。
【００４４】
また、ルーバーが挿入部入口側に駆動する場合の風による手及び水受け部から使用者に跳ね返る水滴を防止することが可能なものであり、手を乾燥させる時の水の跳ね返りによる使用者の不快感を低減できるという作用を有する。
【００４５】
また、ルーバーを手挿入部奥側に駆動する場合はゆっくり、前記手挿入部入口側に駆動する場合は早く動かすことを可能とする構成としたものであり、手を乾燥させる時に手及び水受け部からの水の跳ね返りを低減させると共に、乾燥時間を短くすることができるという作用を有する。
【００４６】
また、ルーバーを手挿入部奥側に駆動する場合は風量を大きく、前記手挿入部入口側に駆動する場合は送風を停止もしくは風量を少なくすることを可能とする構成としたものであり、手を乾燥させる時に手及び水受け部からの水の跳ね返りを低減させると共に、より乾燥時間を短くすることができるという作用を有する。
【００４７】
さらに、ルーバーを手挿入部奥側に駆動する場合に奥側に移動するにつれて風量を大きくすることができる構成としたものであり、より効果的に水を飛ばすことができ、手の乾燥時間を短くすることができるという作用を有する。
【００４８】
また、風量の変更は、送風装置のモーター回転数制御により行なう構成としたものであり、開口部の絞り機構を必要とせず、容易に風量の変更を行なうことができるという作用を有する。
【００４９】
さらに、風量の変更は、送出ノズルの開口面積の変更により行なう構成としたものであり、複雑なモーターの回転数制御を必要とせず、容易に風量の変更を行なうことができるという作用を有する。
【００５０】
また、ルーバーの取り付けは、水受け部に水平となるように設置する構成としたものであり、ルーバーは手に対して垂直方向に設置され、水の滴下方向に走査することとなるため、水を効果的に吹き飛ばすことができるという作用を有する。
【００５１】
さらに、ルーバーは少なくとも２個以上設置する構成としたものであり、手の大小を問わず効果的に水を吹き飛ばすことができるという作用を有する。
【００５２】
また、ルーバーは水受け部の中心軸に対し、対称となる位置に設置する構成としたものであり、手の大小を問わず効果的に乾燥し、さらに水受け部の中心軸方向に水を吹き飛ばすため、水の跳ね返りを少なくすることができるという作用を有する。
【００５３】
さらに、ルーバーは手の挿入角度に応じて角度を自動的に変更する構成としたものであり、手の挿入角度に応じて最適な風向制御を行ない手の乾燥効率を向上することができるという作用を有する。
【００５４】
以下、本発明の実施の形態について図面を参照しながら説明する。
【００５５】
（実施の形態１）
以下、本発明の実施の形態１について図面を参照しながら説明する。
【００５６】
図１（ａ）は手乾燥装置の構成を示す概略図であり、図１（ｂ）はルーバー構造部の風向奥側の拡大図であり、図１（ｃ）はルーバー構造部の風向真下の拡大図である。
【００５７】
図１に示すように、本体内部に設けた送風装置１及び発熱体２からなる温風発生手段３と、この温風発生手段３からの温風を送出する送出ノズル４と、前記送出ノズル４下部に手挿入部５を有し、さらに前記手挿入部５の奥側から下部に至る水受け部６を有し、前記送出ノズル４にルーバー構造部７を備えた手乾燥装置８を構成する。発熱体２としては発熱できれば良く、例えば、ヒータ等がある。
【００５８】
上記構成において、風向を変更可能とすることで、使用者が手を何度も手挿入部に挿抜したり、送出ノズル近辺で手もみをしたりする煩わしさを軽減することができる。
【００５９】
なお、本実施の形態１では、送出ノズルが１個の手乾燥装置としているが、送出ノズルを複数設け、手の両面より吹出す手乾燥装置においても同様の作用効果をもたらすことは言うまでもない。
【００６０】
（実施の形態２）
次に、本発明の実施の形態２について図面を参照しながら説明する。なお、実施の形態１と同一のものは同一番号を付し、その詳細な説明を省略する。
【００６１】
図２（ａ）は手乾燥装置の構成を示す概略図であり、図２（ｂ）はルーバー構造部とルーバー駆動モーターの詳細図である。図２に示すように、本体内部に設けた送風装置１及び発熱体２からなる温風発生手段３と、この温風発生手段３からの温風を送出する送出ノズル４と、前記送出ノズル４下部に手挿入部５を有し、さらに前記手挿入部５の奥側から下部に至る水受け部６を有し、前記送出ノズル４にルーバー構造部７を設け、前記ルーバー構造部７を駆動するルーバー駆動モーター９を備えた手乾燥装置８を構成する。温風発生手段３としては温風が発生できれば良く、例えば、送風機にヒータを組み込んだもの等がある。
【００６２】
上記構成において、ルーバー構造部７の駆動すなわち風向の変更を容易に実現することができる。
【００６３】
（実施の形態３）
次に、本発明の実施の形態３について図面を参照しながら説明する。なお、実施の形態１、２と同一のものは同一番号を付し、その詳細な説明を省略する。
【００６４】
図３に示すように、ルーバー駆動モーター９を制御するルーバー制御部１０を備えた手乾燥装置８を構成する。
【００６５】
上記構成において、ルーバー制御部１０により、手挿入部５奥側にルーバー構造部７を駆動する場合は低速で駆動し、前記手挿入部５入口側にルーバー構造部７を駆動する場合は高速で駆動することにより、手を乾燥させる時に手及び水受け部からの水の跳ね返りを低減させると共に、乾燥時間を短くすることができる。
【００６６】
（実施の形態４）
次に、本発明の実施の形態４について図面を参照しながら説明する。なお、実施の形態１、２、３と同一のものは同一番号を付し、その詳細な説明を省略する。
【００６７】
図４に示すように、ルーバー駆動モーター９を制御するルーバー制御部１０と、送風装置１を制御する送風装置制御部１１を備えた手乾燥装置８を構成する。
【００６８】
上記構成において、ルーバー制御部１０により、手挿入部５奥側にルーバー構造部７を駆動する場合は、送風装置制御部１１により送風装置１を制御し、風量を大きくし、前記手挿入部５入口側にルーバー構造部７を駆動する場合は、送風装置制御部１１により送風装置１を制御し、送風を停止もしくは風量を小さくし、手を乾燥させる時に手及び水受け部からの水の跳ね返りを低減させると共に、乾燥時間を短くすることができる。
【００６９】
（実施の形態５）
次に、本発明の実施の形態５について図面を参照しながら説明する。なお、実施の形態１、２、３、４と同一のものは同一番号を付し、その詳細な説明を省略する。
【００７０】
図４に示すように、ルーバー駆動モーター９を制御するルーバー制御部１０と、送風装置１を制御する送風装置制御部１１を備えた手乾燥装置８を構成する。
【００７１】
上記構成において、ルーバー制御部１０により、手挿入部５奥側にルーバー構造部７を駆動する場合に奥側に移動するにつれて、送風装置制御部１１により送風装置１を制御することにより、風量を大きくし、より効果的に水を飛ばすことができ、手の乾燥時間を短くすることができる。
【００７２】
（実施の形態６）
次に、本発明の実施の形態６について図面を参照しながら説明する。なお、実施の形態１、２、３、４、５と同一のものは同一番号を付し、その詳細な説明を省略する。
【００７３】
図４に示すように、ルーバー駆動モーター９を制御するルーバー制御部１０と、送風装置１を制御する送風装置制御部１１を備えた手乾燥装置８を構成する。
【００７４】
上記構成において、風量の変更は、送風装置１を送風装置制御部１１によりモーター回転数制御することにより行ない、開口部の絞り機構を必要とせず、容易に風量の変更を行なうことができる。
【００７５】
（実施の形態７）
次に、本発明の実施の形態７について図面を参照しながら説明する。なお、実施の形態１、２、３、４、５または６と同一のものは同一番号を付し、その詳細な説明を省略する。
【００７６】
図５（ａ）は手乾燥装置の構成を示す概略図であり、図５（ｂ）はシャッター構造部のシャッター閉を示す拡大図であり、図５（ｃ）はシャッター構造部のシャッター開を示す拡大図である。図５に示すように、ノズル４内部にシャッター構造部１２を備えた手乾燥装置８を構成する。
【００７７】
上記構成において、シャッター構造部１２の開閉により開口面積を変更し、風量を変更させることより、複雑なモーターの回転数制御を必要とせず、容易に風量の変更を行なうことができる手乾燥装置が得られる。
【００７８】
（実施の形態８）
次に、本発明の実施の形態８について図面を参照しながら説明する。なお、実施の形態１、２、３、４、５、６または７と同一のものは同一番号を付し、その詳細な説明を省略する。
【００７９】
図６に示すように、ルーバー構造部７の取り付けは、水受け部６に水平となるように設置する構成とした手乾燥装置８を構成する。
【００８０】
上記構成において、ルーバーは手に対して垂直方向に設置され、水の滴下方向に走査することとなるため、水を効果的に吹き飛ばすことができる。
【００８１】
（実施の形態９）
次に、本発明の実施の形態９について図面を参照しながら説明する。なお、実施の形態１、２、３、４、５、６、７または８と同一のものは同一番号を付し、その詳細な説明を省略する。
【００８２】
図７に示すように、ルーバー構造部Ａ７ａ、ルーバー構造部Ｂ７ｂと２個以上設置する構成とした手乾燥装置８を構成する。
【００８３】
上記構成において、手の大小を問わず効果的に水を吹き飛ばすことができる。
【００８４】
（実施の形態１０）
次に、本発明の実施の形態１０について図面を参照しながら説明する。なお、実施の形態１、２、３、４、５、６、７、８または９と同一のものは同一番号を付し、その詳細な説明を省略する。
【００８５】
図８に示すように、また、ルーバー構造部Ａ７ａ、ルーバー構造部Ｂ７ｂを水受け部の中心軸に対し、対称となる位置に設置する構成とした手乾燥装置８を構成する。
【００８６】
上記構成において、手の大小を問わず効果的に乾燥することができ、さらに水受け部の中心軸方向に水を吹き飛ばすため、水の跳ね返りを少なくすることができる。
【００８７】
（実施の形態１１）
次に、本発明の実施の形態１１について図面を参照しながら説明する。なお、実施の形態１、２、３、４、５、６、７、８、９または１０と同一のものは同一番号を付し、その詳細な説明を省略する。
【００８８】
図９に示すように、手挿入部５の入口側上方に測距センサーＡ１３ａ、さらに手挿入部５の奥側上方に測距センサーＢ１３ｂを設置する構成とした手乾燥装置８を構成する。
【００８９】
上記構成において、測距センサーＡ１３ａと測距センサーＢ１３ｂにより手の挿入角度を計算し、手の挿入角度に応じて最適な風向制御を行ない手の乾燥効率を向上することができる。
【産業上の利用可能性】
【００９０】
水滴を高風速で飛ばし、残った水分を大風量の温風で効率的な乾燥をすることにより、水洗いした後の乾燥手法において、効率的な乾燥を行なうことができる。
【図面の簡単な説明】
【００９１】
【図１】本発明の実施の形態１の手乾燥装置の構成を示す概略図
【図２】本発明の実施の形態２の手乾燥装置の構成を示す概略図
【図３】本発明の実施の形態３の手乾燥装置の構成を示す概略図
【図４】本発明の実施の形態４、５、６の手乾燥装置の構成を示す概略図
【図５】本発明の実施の形態７の手乾燥装置の構成を示す概略図
【図６】本発明の実施の形態８の手乾燥装置の構成を示す概略図
【図７】本発明の実施の形態９の手乾燥装置の構成を示す概略図
【図８】本発明の実施の形態１０の手乾燥装置の構成を示す概略図
【図９】本発明の実施の形態１１の手乾燥装置の構成を示す概略図
【図１０】従来の手乾燥装置の構成を示す概略図
【符号の説明】
【００９２】
１    送風装置
２    発熱体
３    温風発生手段
４    送出ノズル
５    手挿入部
６    水受け部
７    ルーバー構造部
８    手乾燥装置
９    ルーバー駆動モーター
１０  ルーバー制御部
１１  送風装置制御部
１２  シャッター構造部
７ａ  ルーバー構造部Ａ
７ｂ  ルーバー構造部Ｂ
１３ａ  測距センサーＡ
１３ｂ  測距センサーＢ
１０１  手乾燥装置
１０２  送風装置
１０３  発熱体
１０４  温風発生手段
１０５  送出ノズル
１０６  手挿入部
１０７  水受け部
１０８  送出ノズル駆動部
【図１】
2006247020.tif 000003
【図２】
2006247020.tif 000004
【図３】
2006247020.tif 000005
【図４】
2006247020.tif 000006
【図５】
2006247020.tif 000007
【図６】
2006247020.tif 000008
【図７】
2006247020.tif 000009
【図８】
2006247020.tif 000010
【図９】
2006247020.tif 000011
【図１０】
2006247020.tif 000012